(57)【特許請求の範囲】
【請求項１】
弾性変形可能な磁性材料からなる断面C字状の丸ケースであって、上部では幅狭に、下部では幅広に形成されたスリットを有し、前記スリット下部に一対の第１凹部が形成され、かつ、上端及び下端にそれぞれ複数の第２凹部が形成された丸ケースと、
前記丸ケースの内部に収容されるモールドコイルであって、ボビン及びコイルがモールドされている中空円筒部と、該中空円筒部から突出し、ゴムブッシュ及びリード線がモールドされている膨出部とから形成され、前記中空円筒部の外径は前記丸ケースの内径よりも僅かに大きく設定され、前記膨出部の両側面に前記スリット下部の前記一対の第１凹部に収容可能な一対のリブが形成されたモールドコイルと、
前記中空円筒部の上端及び下端に配され、前記丸ケースの内周面の両端に圧接した状態で収容される中空円盤状のヨークであって、前記丸ケースの内径よりも僅かに大きく設定された外径を有し、外縁に前記第２凹部に収容される突起が形成されたヨークと、
を備えることを特徴とするソレノイド。
【発明の詳細な説明】
【０００１】
【発明の属する技術分野】
本発明は、バルブ本体に装着されバルブ本体と共に電磁弁を構成するソレノイドに関する。
【０００２】
【従来の技術】
一般に、油圧回路等の構成要素となる電磁弁は、油流路等を開閉するスプールが内蔵されたバルブ本体に、上記スプールを作動する同一構造からなる左右一対のソレノイド（電磁石装置ともいう。）を装着して構成される。
【０００３】
図３は、この種の左右一対のソレノイドの一方のソレノイドの従来例の断面図を示している。
【０００４】
図３に示すソレノイド１は、油浸型の電磁弁等に広く使用されているソレノイドである。このソレノイド１は、コイルアッシー２とチューブアッシー３とナット４とを備える。
【０００５】
コイルアッシー２は、樹脂製ボビン２１と、このボビン２１に巻回されたソレノイドコイル２２と、ソレノイドコイル２２が励磁されたとき図示破線矢印で示す磁気回路ＭＣの一部を形成するドーナツ板状の複数のヨーク２３と、同じく磁気回路ＭＣの一部を形成する中空円筒状の磁性体２４と、ソレノイドコイル２２に外部から電流を取り入れるためのターミナルピン２５とを備え、これらの部品２１〜２５を金型にセットして樹脂材料を注入することにより、樹脂ケース２６内に上記各部品２１〜２５がモールドされて一体に形成されている。
【０００６】
チューブアッシー３は、コイルアッシー２のボビン２１の中空部に挿入されている。チューブアッシー３は、図示しないバルブ本体に形成された雌ねじにねじ込まれる雄ねじ３１ａを有する固定鉄心３１と、ソレノイドコイル２２の励磁時に固定鉄心３１から磁気吸引力を受ける可動鉄心（プランジャー）３２と、一端が固定鉄心３１に溶着され他端がストッパー３４に溶着され、可動鉄心３２を軸方向に摺動可能に収容した非磁性体からなるパイプ３３と、可動鉄心３２の図３における上端位置を規制するストッパー３４とから一体に形成されている。ストッパー３４の貫通孔には、シール性を確保しながら手動操作ピン３９が摺動可能に挿入されている。手動操作ピン３９は、外部からの操作により可動鉄心３２及びプッシュピン３５を介してバルブ本体内のスプール（図示せず）を手動で作動させるためのものである。
【０００７】
ナット４は、チューブアッシー３のストッパー３４の雄ねじ３４ａにねじ込まれるナットであり、チューブアッシー３とコイルアッシー２とを一体化させてバルブ本体に組み付けるために用いられる。すなわち、バルブ本体へのソレノイドの装着方法は、チューブアッシー３の固定鉄心３１の雄ねじ３１ａをバルブ本体の雌ねじにねじ込み、チューブアッシー３にコイルアッシー２を組み付けた状態で、チューブアッシー３のストッパー３４の雄ねじ３４ａにナット４をねじ込むようにする。
【０００８】
なお、可動鉄心３２の下端面にはプッシュピン３５の上端面が当接しており、このプッシュピン３５は、固定鉄心３１の上下方向の貫通孔３１ｂを通ってバルブ本体のスプール（図示せず）に当接している。また、ソレノイドコイル２２の消磁時かつ他方のソレノイド（バルブ本体を挟んで図３図示のソレノイドとは反対側に位置し、図３図示のソレノイドと同一構造を有する）のソレノイドコイルの励磁時には、スプール（図示せず）がスプリング（図示せず）の弾性力に抗してプッシュピン３５を押し、可動鉄心３２は固定鉄心３１から離隔される。
【０００９】
【発明が解決しようとする課題】
しかしながら、上記のような従来のソレノイドは構成が複雑でありコスト高であった。
【００１０】
本発明は上記問題点を解決し、簡単な構成かつ組み付けが容易で安価なソレノイドを提供することを目的とする。
【００１１】
【課題を解決するための手段】
本発明のソレノイドは、弾性変形可能な磁性材料からなる断面C字状の丸ケースであって、上部では幅狭に、下部では幅広に形成されたスリットを有し、前記スリット下部に一対の第１凹部が形成され、かつ、上端及び下端にそれぞれ複数の第２凹部が形成された丸ケースと、前記丸ケースの内部に収容されるモールドコイルであって、ボビン及びコイルがモールドされている中空円筒部と、該中空円筒部から突出し、ゴムブッシュ及びリード線がモールドされている膨出部とから形成され、前記中空円筒部の外径は前記丸ケースの内径よりも僅かに大きく設定され、前記膨出部の両側面に前記スリット下部の前記一対の第１凹部に収容可能な一対のリブが形成されたモールドコイルと、前記中空円筒部の上端及び下端に配され、前記丸ケースの内周面の両端に圧接した状態で収容される中空円盤状のヨークであって、前記丸ケースの内径よりも僅かに大きく設定された外径を有し、外縁に前記第２凹部に収容される突起が形成されたヨークと、を備えることを特徴とする。
【００１２】
【発明の作用効果】
本発明によると、丸ケースとモールドコイルと二個のヨークとからソレノイドの主要部が構成される簡単な構成であり、しかも、これらの組み付けが丸ケースの弾性力と第１、第２凹部を利用することで容易に行なうことができるため、簡単な構成かつ組み付けが容易で安価なソレノイドを提供することが可能となる。
【００１３】
【発明の実施の形態】
以下、本発明の実施の形態を図面に基づいて説明する。
【００１４】
図１は、一実施例によるソレノイドの主要部の分解斜視図、図２は、同主要部を組み付けた状態の側面図をそれぞれ示す。
【００１５】
本実施例によるソレノイドの主要部は、丸ケース５０とモールドコイル６０と二個のヨーク７０、８０とによって構成される。
【００１６】
丸ケース５０は、弾性変形可能な磁性材料からなり、図１に示すように断面ほぼＣ字状に構成されている。丸ケース５０は、上端から下端にかけて上下方向にスリット５１が形成され、このスリット５１は上部５１ａでは幅狭に、下部５１ｂでは幅広に形成され、スリット下部５１ｂには、第１係止手段としての一対の第１凹部５１ｃ、５１ｄが形成されている。また、丸ケース５０の上端及び下端には、それぞれ、第２係止手段としての一対の第２凹部５２ａ、５２ｂ、５３ａ、５３ｂが形成されている。
【００１７】
モールドコイル６０は、中空部６２ａを有しコイル６１が巻回されたボビン６２とコイル６１に接続されたリード線６３のコイル側部位とゴムブッシュ６４とをインサート体として一体に樹脂成形されており、ボビン６２及びコイル６１がモールドされている中空円筒部６５と、この中空円筒部６５から突出し、ゴムブッシュ６４及びリード線６３がモールドされている膨出部６６とから形成されている。中空円筒部６５の外径は、丸ケース５０の内径よりも僅かに大きく設定されている。膨出部６６の両側面には第１係止手段としての一対のリブ６６ａ、６６ｂが形成されている。膨出部６６は丸ケース５０のスリット下部５１ｂに収容され、膨出部６６のリブ６６ａ、６６ｂはスリット下部５１ｂの第１凹部５１ｃ、５１ｄに収容可能とされている。
【００１８】
各ヨーク７０、８０は、中空円盤状に形成されており、外縁に第２係止手段としての一対突起７１ａ、７１ｂ、８１ａ、８１ｂが形成されている。各ヨーク７０、８０の外径（突起７１ａ、７１ｂ、８１ａ、８１ｂを除く。）は、モールドコイル６０の中空円筒部６５の外径よりも僅かに大きく設定されている。
【００１９】
次に、上記のように構成された丸ケース５０とモールドコイル６０と二個のヨーク７０、８０の組み付け方法の一例を説明する。
【００２０】
まず、丸ケース５０を拡径させ、この拡径させた丸ケース５０の上端の第２凹部５２ａ、５２ｂにヨーク７０の突起７１ａ、７１ｂを収容させ、丸ケース５０の拡径を解除する。この操作により丸ケース５０の上端にヨーク７０が係止される。次に、スリット下部５１ｂにモールドコイル６０の膨出部６６を侵入させモールドコイル６０を丸ケース５０の奥まで侵入させる。モールドコイル６０が丸ケース５０の奥まで達すると、膨出部６６のリブ６６ａ、６６ｂがスリット下部５１ｂの第１凹部５１ｃ、５１ｄに収容され、モールドコイル６０は丸ケース５０に係止され、離脱が防止される。次に、丸ケース５０を僅かに拡径させた状態で丸ケース５０の下端の第２凹部５３ａ、５３ｂにヨーク８０の突起８１ａ、８１ｂを収容させ丸ケース５０の拡径を解除する。
【００２１】
以上の操作を行なうことにより、丸ケース５０にヨーク７０、モールドコイル６０及びヨーク８０が一体に組み付けられる。
【００２２】
以上説明したように、本実施例によると、丸ケース５０とモールドコイル６０と二個のヨーク７０、８０とからソレノイドの主要部が構成される簡単な構成であり、しかも、これらの組み付けが丸ケース５０の弾性力と第１係止手段（リブ６６ａ、６６ｂと第１凹部５１ｃ、５１ｄ）、及び、第２係止手段（第２凹部５２ａ、５２ｂ、５３ａ、５３ｂと突起７１ａ、７１ｂ、８１ａ、８１ｂ）を利用することで容易に行なうことができるため、簡単な構成かつ組み付けが容易で安価なソレノイドを提供することが可能となる。
【図面の簡単な説明】
【図１】一実施例によるソレノイドの主要部の分解斜視図である。
【図２】同主要部を組み付けた状態の側面図である。
【図３】従来のソレノイドの断面図である。
【符号の説明】
５０    丸ケース
５１ｃ、５１ｄ    第１凹部（第１係止手段）
５２ａ、５２ｂ、５３ａ、５３ｂ    第２凹部（第２係止手段）
６０    モールドコイル
６１    コイル
６２    ボビン
６３    リード線
６６ａ、６６ｂ    リブ（第１係止手段）
７０、８０    ヨーク
７１ａ、７１ｂ、８１ａ、８１ｂ    突起（第２係止手段）
【図１】
0003760328.tif 000002
【図２】
0003760328.tif 000003
【図３】
0003760328.tif 000004